(57)【要約】【課題】芳香器において、物流形態を簡素にして取扱性を向上するとともに、ワンタッチで使用開始可能にすること。【解決手段】容器１１とキャップ１２と吸上げ部材１３と隔膜１９を有してなる芳香器１０であって、使用開始段階で、キャップ１２を容器１１の開口部に本取付する過程で、該キャップ１２又は吸上げ部材１３に設けた開封手段（上吸上げ部材１６の切刃状先端部１６Ａ）により隔膜１９を開封し、吸上げ部材１３の上端部を揮散領域１７内に位置付け可能にするもの。【選択図】  図１
2004267471.tif 000002
【特許請求の範囲】
【請求項１】
芳香剤を収容する容器と、
容器の開口部に取着されて揮散領域を形成するキャップと、
容器内の芳香剤に浸漬する状態で立上げられた吸上げ部材と、
容器内の芳香剤と吸上げ部材の上部に設けられ、容器内を容器外の揮散領域に対して封止する隔膜とを有してなる芳香器であって、
使用開始段階で、キャップを容器の開口部に本取付する過程で、該キャップ又は前記吸上げ部材に設けた開封手段により前記隔膜を開封し、前記吸上げ部材の上端部を揮散領域内に位置付け可能にする芳香器。
【請求項２】
前記開封手段が吸上げ部材からなり、該吸上げ部材は前記隔膜を開封するとともに、前記キャップ内の上吸上げ部材と結合可能にされる請求項１に記載の芳香器。
【請求項３】
前記吸上げ部材の周囲に配置可能にされ、芳香剤中に浮くように設けられるフロートと、フロートの上部に設けられ、吸上げ部材の周囲を揮散領域に対して遮蔽可能にする筒状部材からなる筒状部材付きフロートを有し、
使用開始前段階で、フロートは容器の開口部に液密に嵌合し、
使用開始段階では、キャップを容器の開口部に本取付する過程で、該キャップにより筒状部材付きフロートを容器内の芳香剤中に落とし込み可能にする請求項１又は２に記載の芳香器。
【請求項４】
前記筒状部材付きフロートの前記吸上げ部材を遊挿可能にする孔に前記隔膜を設けた請求項３に記載の芳香器。
【請求項５】
前記キャップの揮散領域に位置する側に、吸上げ部材が接触する揮散部材を設けた請求項１〜４のいずれかに記載の芳香器。
【発明の詳細な説明】
【０００１】
【発明の属する技術分野】
本発明は芳香器に関する。
【０００２】
【従来の技術】
特許文献１は、芳香器として、芳香剤を収容する容器と、容器の開口部を封止する中栓と、容器内の芳香剤に浸漬する状態で立上げられた吸上げ部材と、中栓が取外された容器の開口部に取着されて揮散領域を形成するキャップとを有してなるものを開示している。
【０００３】
【特許文献１】
特開２００１−２６１０８０（２頁〜３頁、図１、図２）
【０００４】
【発明が解決しようとする課題】
特許文献１では、使用開始前段階で、芳香剤を収容した容器の開口部を封止するために中栓を用いている。このため、使用開始段階では、容器から中栓を取外し、その後、容器にキャップを取付ける必要があり、ワンタッチで使用開始できない。
【０００５】
本発明の課題は、芳香器において、物流形態を簡素にして取扱性を向上するとともに、ワンタッチで使用開始可能にすることにある。
【０００６】
【課題を解決するための手段】
請求項１の発明は、芳香剤を収容する容器と、容器の開口部に取着されて揮散領域を形成するキャップと、容器内の芳香剤に浸漬する状態で立上げられた吸上げ部材と、容器内の芳香剤と吸上げ部材の上部に設けられ、容器内を容器外の揮散領域に対して封止する隔膜とを有してなる芳香器であって、使用開始段階で、キャップを容器の開口部に本取付する過程で、該キャップ又は前記吸上げ部材に設けた開封手段により前記隔膜を開封し、前記吸上げ部材の上端部を揮散領域内に位置付け可能にするようにしたものである。
【０００７】
【発明の実施の形態】
（第１実施形態）（図１、図２）
芳香器１０は、図１、図２に示す如く、容器１１と、キャップ１２と、吸上げ部材１３と、フロート１４と、筒状部材１５と、上吸上げ部材１６を有する。
【０００８】
容器１１は液状芳香剤Ｌを収容する。容器１１は開口部１１Ａの外周にキャップ１２のためのねじ部１１Ｂを備え、底面に吸上げ部材１３を立設支持するための挿入凹部１１Ｃを備える。
【０００９】
キャップ１２は、容器１１の開口部１１Ａに備えたねじ部１１Ｂに螺着されるねじ部１２Ａを備える（キャップ１２は容器１１の開口部１１Ａに打ち込み嵌合により取着されても可）。キャップ１２は芳香器１０の使用開始前段階では容器１１に浅い締結範囲内に螺着されて仮取付され、芳香器１０の使用段階で深い締結範囲にまで螺着されて本取付される。キャップ１２は、揮散領域１７を形成するドーム状をなし、揮散領域１７を外方空間に連通する複数の通気口１２Ｂを備える。
【００１０】
吸上げ部材１３は、金属等の硬質芯材１３Ａの外周にフェルト等の吸液性を有する芯１３Ｂを被覆して構成され、容器１１の挿入凹部１１Ｃに下端部を挿入固定されて容器１１の芳香剤Ｌに浸漬され、上端部を芳香剤Ｌの液面より上に立上げられる。吸上げ部材１３は、後述する隔膜１９を突き破るための針状先端部１３Ｃを上端面に備える。吸上げ部材１３は、焼結金属等の硬質の多孔質材の棒等からなり、針状先端部１３Ｃを備えるものでも良い。
【００１１】
フロート１４は、芳香器１０の使用状態で吸上げ部材１３及び上吸上げ部材１６に遊挿される中空孔１８を有し、それらの周囲を上下動可能に配置され、容器１１内の芳香剤Ｌ中に浮くように設けられる。芳香器１０の使用開始前段階で、フロート１４の外周は容器１１の開口部１１Ａの内周に軽圧入されて液密に嵌合する。フロート１４は中空体からなる。
【００１２】
筒状部材１５は、フロート１４の上部に一体成形されて設けられ、芳香器１０の使用状態で吸上げ部材１３及び上吸上げ部材１６に遊挿され、フロート１４とともに上下動自在となるように配置される。筒状部材１５は、上吸上げ部材１６の周囲を揮散領域１７に対して遮蔽する。尚、本実施形態では、筒状部材１５は、上吸上げ部材１６の上端側の一定長さ範囲の当初開放面２１Ａ（図２）については、使用開始当初から遮蔽しない。
【００１３】
キャップ１２はフランジ状押下部１２Ｃを内周の上下方向中間部に設け、筒状部材１５は押下部１２Ｃに係合するフランジ部１５Ａを上端部に備える。これにより、芳香器１０の使用開始段階で、キャップ１２を容器１１の開口部１１Ａに本取付する過程で、キャップ１２が容器１１により深く螺着されると、キャップ１２の押下部１２Ｃが筒状部材１５のフランジ部１５Ａを下方に押し下げ、容器１１の開口部１１Ａに対するフロート１４の嵌合を外し、フロート１４を容器１１内の芳香剤中に落とし込み可能にする。
【００１４】
尚、キャップ１２は容器１１に対しねじ嵌合に限らず打ち込み嵌合するものでも良く、キャップ１２の打ち込みの過程でフロート１４を容器１１内の芳香剤中に落とし込んでも良い。
【００１５】
上吸上げ部材１６は、キャップ１２の天面内側に設けた挿入凹部１２Ｄに挿入固定され、揮散領域１７内を垂下し、フロート１４及び筒状部材１５の中空孔１８に遊挿される。上吸い上げ部材１６は、芳香器１０の使用段階で、容器１１に設けられている吸上げ部材１３と結合可能にされる。上吸上げ部材１６は、吸上げ部材１３と同様に、フェルト等の吸液性を有する芯、焼結金属等の硬質の多孔質材の棒等にて構成される。
【００１６】
しかるに、芳香器１０にあっては、フロート１４の吸上げ部材１３、上吸上げ部材１６を遊挿可能にする中空孔１８の下端開口面、換言すればフロート１４の下端面に液密シール材を形成可能にするフィルム状隔膜１９を接着等により設ける。隔膜１９は、使用開始前段階で、容器１１内の芳香剤と吸上げ部材１３の上部に設けられ、容器１１の内部を容器１１の外の揮散領域１７に対して液密に封止する。
【００１７】
芳香器１０の使用開始段階では、キャップ１２を容器１１の開口部１１Ａに本取付する前述の如くの過程で、キャップ１２がフロート１４を容器１１内の芳香剤中に落とし込むとき、容器１１に前述の如くに設けた開封手段としての吸上げ部材１３の上端部の針状先端部１３Ｃが、キャップ１２の側から立設している上吸上げ部材１６の下端部の切刃状先端部１６Ａに凹凸結合するとともに、フロート１４の下端面の隔膜１９を突き破って開封し、結果として吸上げ部材１３の上端部を直接的に、又は上吸上げ部材１６を介して揮散領域１７内に位置付け可能にする。
【００１８】
芳香器１０の使用手順は以下の如くになる。
（１）キャップ１２を容器１１に対する仮取付状態（図１）から前述の如くに本取付状態（図２）にする。
【００１９】
（２）キャップ１２の本取付の過程で、キャップ１２の押下部１２Ｃにより筒状部材１５のフランジ部１５Ａを押し下げ、容器１１に対するフロート１４の嵌合を解除し、フロート１４を容器１１内の芳香剤中に落とし込んで浮き状態にする。フロート１４が容器１１に落とし込まれるとき、容器１１に設けた吸上げ部材１３の上端部の針状先端部１３Ｃが、キャップ１２の側から立設している上吸上げ部材１６の下端部の切刃状先端部１６Ａに凹凸結合するときに、フロート１４の下端面の隔膜１９を突き破って開封する。同時に、上吸上げ部材１６の切刃状先端部１６Ａと吸上げ部材１３の針状先端部１３Ｃを凹凸結合する。
【００２０】
（３）以上により、芳香器１０は、吸上げ部材１３及び上吸上げ部材１６が吸上げる容器１１内の芳香剤を、上吸上げ部材１６の外表面において、揮散領域１７に対して開放している当初開放面２１Ａ（図２）、更にはフロート１４の下降とともに筒状部材１５による遮蔽が解除されて新たに揮散領域１７に臨む新規開放面２１Ｂ（図２）から揮散領域１７に揮散し、ひいてはキャップ１２の通気口１２Ｂから外部空間に放散する。
【００２１】
本実施形態によれば以下の作用効果がある。
（請求項１に対応する作用効果）
▲１▼芳香器１０の使用開始前段階で、芳香剤を収容した容器１１の開口部１１Ａを封止するために隔膜１９を用い、容器１１の開口部１１Ａにはキャップ１２を仮取付する。そして、使用開始段階では、キャップ１２を本取付する過程で、キャップ１２の取付力を利用して容器１１に設けた開封手段（吸上げ部材１３）を隔膜１９に押込み、隔膜１９を破って開封し、吸上げ部材１３、１６の上端部を揮散領域１７内に位置付ける。これにより、容器１１内の芳香剤を吸上げ部材１３、１６により吸上げて揮散領域１７にて揮散させ、ひいては外部空間に放散させる。
【００２２】
▲２▼上述▲１▼により、キャップ１２を本取付するだけのワンタッチで芳香器１０を使用開始できる。
【００２３】
▲３▼芳香器１０の物流形態は、全部品を一体組付けしたものになり、簡素で取扱性は良い。
【００２４】
（請求項２に対応する作用効果）
▲４▼前述▲１▼で開封手段を構成する吸い上げ部材１３は、使用開始段階で初めて隔膜１９を破り、キャップ１２内の上吸上げ部材１６と結合して芳香剤を吸上げ可能にする。従って、使用開始当初、上吸上げ部材１６から揮散する香りが過度に強くならず、穏やかな香りとすることができる。
【００２５】
（請求項３に対応する作用効果）
▲５▼吸上げ部材１３の周囲に配置可能にされる筒状部材１５付きフロート１４をキャップ１２により容器１１内の芳香剤中に落とし込み可能にするに際し、使用開始前段階で、フロート１４を容器１１の開口部１１Ａに液密に嵌合させた。従って、容器１１の開口部１１Ａに設けるべき封止構造の簡素を図ることができる。
【００２６】
▲６▼芳香器１０の使用経過により、容器１１内の芳香剤が減少するにつれて、フロート１４及び筒状部材１５が下降し、筒状部材１５による上吸上げ部材１６の遮蔽面積を減じ、上吸上げ部材１６の揮散領域１７に対する開放面を新たに増す。吸上げ部材１６の揮散領域１７に対する既開放面２１Ａでは芳香剤のうちの揮散しにくい成分のつまりによって芳香剤の揮散流量を減ずることになるものの、新たなつまりのない新規開放面２１Ｂの開放によって芳香剤の揮散流量を補填する。これにより、吸上げ部材１６のつまりによる吸上げ部材１６から揮散領域１７への芳香剤の揮散量の経時的な減量を回避できる。
【００２７】
▲７▼上述▲６▼の芳香剤の揮散流量の補填度合は、フロート１４及び筒状部材１５の下降速度に支配される。容器１１の横断面積が下端寄りで漸増するものにあっては、フロート１４の下降速度が漸減するから、新規開放面２１Ｂの開放速度は経時的に低く、芳香剤の揮散流量の補填度合は経時的に低く、芳香剤の揮散流量を経時的に減量傾向にする。容器１１の横断面積が下端寄りで漸減するものにあっては、フロート１４の下降速度が漸増するから、新規開放面２１Ｂの開放速度は経時的に高く、芳香剤の揮散流量の補填度合は経時的に高く、芳香剤の揮散流量を経時的に増量傾向にする。
【００２８】
（請求項４に対応する作用効果）
▲８▼前述▲１▼の隔膜１９を、フロート１４の吸上げ部材１３、１６のための遊挿孔１８に設けたから、芳香器１０への隔膜１９の組込みの簡易を図ることができる。
【００２９】
尚、第１実施形態の芳香器１０にあっては、図１の使用開始前状態で、キャップ１２の下端面と容器１１における肩部１１Ｄとの間隔をａ、フロート１４の外周と容器１１における開口部１１Ａの内側端肩部との間隔をｂ、フロート１４に設けた隔膜１９と吸上げ部材１３の針状先端部１３Ｃとの間隔をｃ、吸上げ部材１３の針状先端部１３Ｃの凸状先端部と上吸上げ部材１６の切刃状先端部１６Ａの凹状底部との間隔をｄ、キャップ１２の押下部１２Ｃと容器１１の開口部１１Ａの外側端上縁部との間隔をｅとするとき、フロート１４の落下のためにａ＞ｂ、隔膜１９の開封のためにａ＞ｃ、吸上げ部材１３と上吸上げ部材１６の接触のためにａ≧ｄ、キャップ１２の押下部１２Ｃが容器１１に干渉しないためにａ＜ｅとする。
【００３０】
（第２実施形態）（図３）
第２実施形態の芳香器１０が第１実施形態の芳香器１０と実質的に異なる点は、図３に示す如く、キャップ１２の揮散領域１７に位置する側に、上吸上げ部材１６が接触する円盤状揮散部材３０を設けたことにある。揮散部材３０は濾紙等からなる。本実施形態では、揮散部材３０が上吸上げ部材１６の上端面に接着される等により結合され、揮散部材３０と上吸上げ部材１６は、キャップ１２の天面内側部にバックアップされる状態で、該キャップ１２の天面とフロート１４に設けた隔膜１９との間に保持されて使用に供される。
【００３１】
本実施形態によれば、吸上げ部材１３、１６を長くしなくても、吸上げ部材１３、１６が吸上げた芳香剤の揮散面積を拡大することができ、芳香器１０のコンパクトを図ることができる。
【００３２】
（第３実施形態）（図４、図５）
第３実施形態の芳香器１０が第１実施形態の芳香器１０と実質的に異なる点は、図４、図５に示す如く、隔膜１９をフロート１４に設けた筒状部材１５のフランジ部１５Ａの上端面に接着等により設け、容器１１に立設した吸上げ部材１３をフロート１４及び筒状部材１５の中空孔１８の中で隔膜１９の直下にまで立上げ、キャップ１２の天面内側部に開封手段としての針状部４０を設けたことにある。尚、キャップ１２の天面内側部には揮散部材３０も設けられている。
【００３３】
従って、芳香器１０の使用手順は以下の如くになる。
（１）キャップ１２を容器１１に対する仮取付状態（図４）から本取付状態（図５）にする。
【００３４】
（２）キャップ１２の本取付の過程で、キャップ１２の押下部１２Ｃにより筒状部材１５のフランジ部１５Ａを押し下げ、容器１１に対するフロート１４の嵌合を解除し、フロート１４を容器１１内の芳香剤中に落とし込んで浮き状態にする。
【００３５】
（３）フロート１４が容器１１に落とし込まれるとき、キャップ１２に設けた針状部４０により筒状部材１５の上端面の隔膜１９を突き破って開封する。同時に、吸上げ部材１３の上端部が揮散領域１７に突出してキャップ１２の天面内側部の揮散部材３０に接触する（図５）。
【００３６】
（４）以上により、芳香器１０は、吸上げ部材１３が吸上げる容器１１内の芳香剤を、吸上げ部材１３の外表面において、揮散領域１７に対して開放している当初開放面２１Ａ、更にはフロート１４の下降とともに筒状部材１５による遮蔽が解除されて新たに揮散領域１７に臨む新規開放面２１Ｂから揮散領域１７に揮散し、ひいてはキャップ１２の通気口１２Ｂから外部空間に放散する。
【００３７】
本実施形態によれば、第１実施形態において前述した▲１▼〜▲３▼、▲５▼〜▲８▼の作用効果、及び第２実施形態において前述した作用効果と同様の作用効果を奏する。
【００３８】
尚、第３実施形態の芳香器１０にあっては、図４の使用開始前状態で、キャップ１２の下端面と容器１１における開口部１１Ａの内側端肩部との間隔をａ、キャップ１２の針状部４０と筒状部材１５の側の隔膜１９との間隔をｂ、揮散部材３０と吸上げ部材１３の上端面との間隔をｃとするとき、隔膜１９の開封のためにａ＞ｂ、吸上げ部材１３と揮散部材３０の接触のためにａ≧ｃとする。
【００３９】
【発明の効果】
本発明によれば、芳香器において、物流形態を簡素にして取扱性を向上するとともに、ワンタッチで使用開始することができる。
【図面の簡単な説明】
【図１】図１は第１実施形態の芳香器の使用開始前状態を示す模式図である。
【図２】図２は第１実施形態の芳香器の使用状態を示す模式図である。
【図３】図３は第２実施形態の芳香器の使用開始前状態を示す模式図である。
【図４】図４は第３実施形態の芳香器の使用開始前状態を示す模式図である。
【図５】図５は第３実施形態の芳香器の使用状態を示す模式図である。
【符号の説明】
１０  芳香器
１１  容器
１１Ａ  開口部
１２  キャップ
１３  吸上げ部材
１４  フロート
１５  筒状部材
１６  上吸上げ部材（開封手段）
１７  揮散領域
１９  隔膜
３０  揮散部材
【図１】
2004267471.tif 000003
【図２】
2004267471.tif 000004
【図３】
2004267471.tif 000005
【図４】
2004267471.tif 000006
【図５】
2004267471.tif 000007